(57)【特許請求の範囲】
【請求項１】
放射線監視装置に模擬信号を入力するテスト信号発生器と、上記放射線監視装置の計数率指示値を読み取りながら予め設定した模擬信号入力パターンをもとに、模擬信号の最適な計数率を選択して上記テスト信号発生器に計数率信号を入力するワークステーションと、計数率の時間推移を表示するＣＲＴを備えたことを特徴とする放射線監視装置の自動試験装置。
【請求項２】
ワークステーションは、放射線監視装置の数多くの各測定チャンネル毎の模擬信号最適入力パターンを有していることを特徴とする請求項１記載の放射線監視装置の自動試験装置。
【請求項３】
テスト信号発生器のテスト信号出力精度試験において、ワークステーションは、いくつかの所定の計数率のテスト信号を順に選択し、テスト信号発生器に出力を指示するよう構成されていることを特徴とする請求項１記載の放射線監視装置の自動試験装置。
【発明の詳細な説明】
【０００１】
【発明の属する技術分野】
この発明は放射線監視装置の試験時に自動で適切な模擬信号を入力する放射線監視装置（略称：ＲＭＳ）の自動試験装置に関するものである。
【０００２】
【従来の技術】
例えば、放射線監視装置（ＲＭＳ）の警報設定値確認試験を行う場合、テスト信号発生器より放射線監視装置に模擬信号を入力して実際に警報を動作させることにより警報設定値の確認を行う。
図５は従来の放射線監視装置の試験時に、放射線監視装置にテスト信号発生器を接続したブロック図である。図において、１は放射線監視装置の測定処理部、２はテスト信号発生器、３は上記テスト信号発生器２の内部に設けられた制御回路、４は入力する模擬信号の計数率を設定するスイッチ、５は入力する模擬信号をステップ状に入力するかランプ状に入力するかを設定する切替スイッチである。
【０００３】
次に動作について説明する。テスト信号発生器２より模擬信号を放射線監視装置の測定処理部１に入力するとカウンタ６はある時定数をもってカウントし計数率を表示器７に表示する。
例えば、警報設定値確認試験を行う場合、早くカウント値を警報設定値に近づけるため作業員が警報設定値近傍の値をスイッチ４で設定し、その値を一定入力するよう切替スイッチ５で設定する。これをステップ入力という。
カウント値が警報設定値近傍に至ると、より警報設定値に近い値で警報が発生するよう入力計数率を徐々に変化させて警報設定値に近づけるモードに切替スイッチ５で設定する。これをランプ入力という。
このように切替スイッチ５のステップ入力とランプ入力の切替設定は作業員が表示器７を確認しながら適当なカウント値のところで手動で設定する。
ついでカウント値が警報設定値を超えると表示器７の値はホールドされ作業員がその値が警報値に対して所定の誤差の範囲内であることを確認する。
【０００４】
【発明が解決しようとする課題】
従来の放射線監視装置におけるテスト信号発生器は以上のように構成されているので、作業員が入力計数率を手動で設定した後、放射線監視装置が示す計数率指示値を確認しながらスイッチを手動で設定する必要があり作業が煩雑であり熟練を要し、知識のない人にはできない困難な作業であった。
また、放射線監視装置の試験は数多くのチャンネルに対して定期的に同じ内容の試験を行うため多くの労力を要する。従ってパラメータを予め設定してプログラム化することにより労力の節減を計る必要がある。
【０００５】
この発明は上記のような課題を解決するためになされたものであり、スイッチの操作を要せず、自動で適切な模擬信号を入力できる放射線監視装置の自動試験装置を得ることを目的とする。
【０００６】
【課題を解決するための手段】
この発明に係わる放射線監視装置の自動試験装置は放射線監視装置に模擬信号を入力するテスト信号発生器と、上記放射線監視装置の計数率指示値を読み取りながら予め設定した模擬信号入力パターンをもとに、模擬信号の最適な計数率を選択し上記テスト信号発生器に計数率信号を入力するワークステーションと、計数率の時間推移を表示するＣＲＴを備えたものである。
【０００７】
また、ワークステーションは、放射線監視装置の数多くの各測定チャンネル毎の模擬信号最適入力パターンを有しているものである。
【０００８】
また、テスト信号発生器のテスト信号出力精度試験において、ワークステーションはいくつかの所定の計数率のテスト信号を順に選択し、テスト信号発生器に出力を指示するものである。
【０００９】
【発明の実施の形態】
実施の形態１．
以下、この発明の実施の形態１を図に基づいて説明する。
図１はこの発明の実施の形態１による模擬信号入力を伴う放射線監視装置の試験のうち、警報設定値確認試験を行う場合の自動試験装置を示すブロック図である。
図１において１、４〜７は上記従来のものと同一のものである。
ワークステーション８は、模擬信号をある時定数をもってカウントしたカウンタ６の値を読みとりながらその値に応じてテスト信号発生器２に適切な操作信号を送信する。通信変換回路１０は上記ワークステーション８からの信号を受けとり制御回路３に伝達する。ＣＲＴ９はカウント値およびテスト信号入力計数率をリアルタイムで表示する。
なお、図２は、ワークステーション８のプログラムにおけるフローチャートである。
【００１０】
次に動作について説明する。ワークステーション８において予めプログラム上で警報設定値Ｘｎ、入力計数率設定値Ｘｎ×ａ、Ｘｎ×ｂ、Ｘｎ×ｃ（ａ、ｂ、ｃは固定値で、ｃ＜１＜ｂ＜ａ）を設定する。ついで、警報設定値確認試験をスタート（ＣＲＴ９画面上でのボタンで選択実施）するとワークステーション８より入力計数率設定値の信号がテスト信号発生器２に入力される。その信号を通信変換回路１０が変換し制御回路３に伝達してテスト信号発生器２より放射線監視装置の測定処理部１に模擬信号を入力する。
カウンタ６の値をワークステーション８でモニタリングしてフローチャート図２に従い、カウント値の時間変化を示す図３のように入力計数率を選択する。
即ち、カウンタ６のカウント値Ｒの値が警報設定値Ｘｎより十分小さい場合（Ｒ＜Ｘｎ×ｃ）模擬信号は計数率（Ｘｎ×ａ）の一定値を入力する。これをステップ入力という（２０１）。
カウント値ＲがＸｎ付近まで上昇（Ｒ≧Ｘｎ×ｃ）すると（２０２）、計数率Ｘｎ×ｂ（ｃ＜１＜ｂ＜ａ）まで入力計数率を一定の割合で変化させて入力する。これをランプ入力という（２０３）。
以上のような操作を行うのはカウンタ６が時定数τをもっており、入力に対してτ時間遅れて応答するからである。
このように、最初はある程度大きい値Ｘｎ×ａをステップ状に入力してカウント値を高速で警報設定値Ｘｎ付近に近づけ、次に警報設定値Ｘｎ近傍で細かくカウント値を変化させるために入力計数率を警報設定値Ｘｎよりやや大きい値までランプ状に入力する。
こうすることによってより短い時間で警報設定値を確認することができる。
このような入力計数率の変化パターンを模擬信号最適入力パターンという。
なお、警報設定値が複数存在する場合は入力計数率を変えたプログラムで上記と同様に実施できるのはもちろんである。
【００１１】
以上のように、放射線監視装置に模擬信号を入力するテスト信号発生器と、上記放射線監視装置の計数率指示値を読み取りながら予め設定した模擬信号入力パターンをもとに、模擬信号の最適な計数率を選択し上記テスト信号発生器に計数率信号を入力するワークステーションとを備えたので、テスト信号の手動設定やカウント値の目視確認を行うことなく、放射線監視装置の試験を自動で行うことができる。
【００１２】
実施の形態２．
また、放射線監視装置はプラントの異なる測定ポイント（チャンネル）毎に独立した測定処理部を有しており、それぞれの測定処理部において個別の警報設定値が存在するので、チャンネル毎の模擬信号最適入力パターンをワークステーションに予め設定することにより、作業をより効率的に行うことができる。
【００１３】
実施の形態３．
なお、上記実施の形態１および２では警報設定値確認試験について述べたが、警報が確実に動作するかを確認する警報動作確認試験、あるいは、いくつかの所定の計数率について放射線監視装置の入力信号と出力信号の特性を確認する入出力特性試験、さらに、放射線監視装置がオーバーレンジの計数率入力に対して所定の動作をとるかを確認するオーバーレンジ特性試験においても上記実施の形態１および２と同様の効果が得られる。
【００１４】
実施の形態４．
テスト信号発生器２自身が所定の計数率信号を所定の精度で出力しているかを確認する試験において、予め設定した計数率を自動で出力することにより手動で設定する工程を簡略化することができる。
即ち、図４においてワークステーション８のプログラム上で所定の模擬入力計数率を設定し、テスト信号発生器２の制御回路３にいくつかの所定の計数率を出力するよう指示する。その計数率出力を外部カウンタ１１で計測し、計測結果をワークステーション８にとりこみＣＲＴ９で表示する。
上記計測結果が所定の精度の範囲内であるかをプログラムに予め判定基準を設定しておくことによりワークステーション８で判定を行い、テスト信号発生器２の健全性を確認する。
このように、ワークステーション８のプログラムにおいて、いくつかの所定の計数率のテスト信号を順に選択し、テスト信号発生器２に出力を指示するようにしたので、試験の手動工程を簡略化することができる。
【００１５】
【発明の効果】
この発明は、以上説明したように構成されているので、以下に記載されるような効果を奏する。
【００１６】
請求項１の発明によれば、放射線監視装置に模擬信号を入力するテスト信号発生器と、上記放射線監視装置の計数率指示値を読み取りながら予め設定した模擬信号入力パターンをもとに、模擬信号の最適な計数率を選択し上記テスト信号発生器に計数率信号を入力するワークステーションとを備えたので、テスト信号の手動設定やカウント値の目視確認を行うことなく、放射線監視装置の試験を自動で行うことができる。
【００１７】
また、請求項２の発明によれば、ワークステーションは、放射線監視装置の数多くの各測定チャンネル（測定ポイント）毎の模擬信号最適入力パターンを有しているので、作業をより効率的に行うことができる。
【００１８】
また、請求項３の発明によれば、テスト信号発生器自身が所定の計数率信号を所定の精度で出力しているかを確認する試験において、ワークステーションのプログラムで、いくつかの所定の計数率のテスト信号を順に選択し、テスト信号発生器に出力を指示するようにしたので、試験の手動で設定する工程を簡略化することができる。
【図面の簡単な説明】
【図１】  この発明の実施の形態１を示すブロック図である。
【図２】  図１のワークステーション８のプログラムのフローチャートである。
【図３】  この発明の実施の形態１の入力計数率とカウント値の推移を示す図である。
【図４】  この発明の実施の形態４を示すブロック図である。
【図５】  従来の装置を示すブロック図である。
【符号の説明】
１  放射線監視装置の測定処理部  ２  テスト信号発生器
３  制御回路  ４  スイッチ  ５  切替スイッチ  ６  カウンタ
７  表示器  ８  ワークステーション  ９  ＣＲＴ
１０  通信変換回路  １１  外部カウンタ
【図１】
0003749338.tif 000002
【図２】
0003749338.tif 000003
【図３】
0003749338.tif 000004
【図４】
0003749338.tif 000005
【図５】
0003749338.tif 000006